(57)【要約】【課題】並んで配置された一対の石材を、極力狭い間隔で支持できる支持部材を提供すること。【解決手段】支持部材２０は、並んで配置された一対の壁状の石材１０を方立３の外壁面４から支持する。この支持部材２０は、外壁面４に沿って延びて外壁面４にボルト固定される板状の取付面部２１と、この取付面部２１から略水平に延びて一対の石材１０を支持する板状の支持面部２２と、取付面部２１および支持面部２２に一体に設けられて一対の石材１０同士の間に配置される板状の補強部２３と、を備える。【選択図】図３
2015052256.tif 000002
【特許請求の範囲】
【請求項１】
並んで配置された一対の壁状の石材を構造物の壁面から支持する支持部材であって、
前記構造物の壁面に沿って延びて当該構造物に固定される板状の取付面部と、
当該取付面部から略水平に延びて前記一対の石材を支持する板状の支持面部と、
前記取付面部および当該支持面部に一体に設けられて前記一対の石材同士の間に配置される板状の補強部と、を備えることを特徴とする支持部材。
【請求項２】
前記構造物の壁面と前記石材との間には、隙間が設けられており、
当該隙間には、カバーが着脱可能に取り付けられることを特徴とする請求項１に記載の支持部材
【発明の詳細な説明】
【技術分野】
【０００１】
本発明は、例えば、並んで配置された一対の壁状の石材を構造物の壁面から支持する支持部材に関する。
【背景技術】
【０００２】
従来より、建物外観の装飾や採光の適切化のために、建物外壁に縦型ルーバーを設ける場合がある（特許文献１参照）。
このような縦型ルーバーにおいて、表面材として石材を使用する場合、例えば、以下のような構造となる。
【０００３】
図５は、本発明の従来例に係る縦型ルーバー１００の斜視図である。
縦型ルーバー１００は、並んで配置された一対の壁状の石材１０１を備えており、これら一対の石材１０１は、支持部材１１０を介して建物の方立１０２の外壁面１０３から支持される。
【０００４】
外壁面１０３には、この外壁面１０３に略直交して突出する板状のブラケット１０４が設けられている。
支持部材１１０は、ブラケット１０４にボルト１１２およびナット１１３で固定される板状の取付面部１１１と、この取付面部１１１に一体に設けられて略水平に延びて一対の石材１０１を下から支持する板状の一対の支持面部１１４と、を備える。
【０００５】
この縦型ルーバー１００では、ナット１１３を締め付ける前の状態では、支持部材１１０のブラケット１０４に対する相対位置を調整して、石材１０１の取り付け位置を微調整できるようになっている。
【先行技術文献】
【特許文献】
【０００６】
【特許文献１】特開２００３−２７８４６６号公報
【発明の概要】
【発明が解決しようとする課題】
【０００７】
ところで、以上のような縦型ルーバー１００では、外観を良好にするため、幅寸法を狭くすることが要請される場合がある。
しかしながら、石材１０１の背面側に支持部材１１０を取り付ける必要があるため、縦型ルーバー１００の幅寸法を小さくするのには限界があり、縦型ルーバー１００の幅寸法はｔ１となっている。
【０００８】
つまり、図５に示すように、支持部材１１０は、ボルト１１２およびナット１１３によりブラケット１０４に固定されているが、このボルト１１２の向きは、石材１０１の長さ方向に略直交している。よって、石材１０１同士の間隔を狭くして、縦型ルーバー１００の幅寸法を小さくしようとすると、一対の石材１０１でボルト１１２を長さ方向から挟み込むこととなり、石材１０１の背面がボルト１１２との両端面に干渉してしまう。
【０００９】
本発明は、並んで配置された一対の石材を、極力狭い間隔で支持できる支持部材を提供することを目的とする。
【課題を解決するための手段】
【００１０】
請求項１に記載の支持部材（例えば、後述の支持部材２０）は、並んで配置された一対の壁状の石材（例えば、後述の石材１０）を構造物（例えば、後述の方立３）の壁面（例えば、後述の外壁面４）から支持する支持部材であって、前記構造物の壁面に沿って延びて当該構造物に固定される板状の取付面部（例えば、後述の取付面部２１）と、当該取付面部から略水平に延びて前記一対の石材を支持する板状の支持面部（例えば、後述の支持面部２２）と、前記取付面部および当該支持面部に一体に設けられて前記一対の石材同士の間に配置される板状の補強部（例えば、後述の補強部２３）と、を備えることを特徴とする。
【００１１】
この発明によれば、支持部材の取付面部を、例えばボルトで構造物の壁面に取り付ける。よって、このボルトの向きは石材の長さ方向に略平行となるので、石材同士の間隔を狭くしても、これら石材でボルトを長さ方向から挟み込むことはなく、並んで配置された一対の石材を極力狭い間隔で支持できる。
【００１２】
請求項２に記載の支持部材は、前記構造物の壁面と前記石材との間には、隙間が設けられており、当該隙間には、カバー（例えば、後述のカバー３０）が着脱可能に取り付けられることを特徴とする。
【００１３】
この発明によれば、構造物の壁面と石材との間の隙間に、カバーを着脱可能に取り付けたので、石材の取付けが完了した後であっても、カバーを取り外すだけで、支持部材と壁面との接合部分が露出するので、石材の取り付け位置を再調整できる。
【発明の効果】
【００１４】
本発明によれば、支持部材の取付面部を、ボルトで構造物の壁面に取り付ける。よって、このボルトの向きは石材の長さ方向に略平行となるので、石材同士の間隔を狭くしようとしても、これら石材でボルトを長さ方向から挟み込むことはなく、並んで配置された一対の石材を極力狭い間隔で支持できる。
【図面の簡単な説明】
【００１５】
【図１】本発明の一実施形態に係る支持部材が適用された縦型ルーバーの斜視図である。
【図２】前記実施形態に係る縦型ルーバーの石材の斜視図である。
【図３】前記実施形態に係る支持部材の斜視図である。
【図４】前記実施形態に係る支持部材と構造物との接合部分の分解斜視図である。
【図５】本発明の従来例に係る縦型ルーバーの斜視図である。
【発明を実施するための形態】
【００１６】
以下、本発明の一実施形態について、図面を参照しながら説明する。
図１は、本発明の一実施形態に係る支持部材が適用された縦型ルーバー１の斜視図である。
【００１７】
縦型ルーバー１は、構造物としての建物の方立３の外壁面４に取り付けられる。
この縦型ルーバー１は、複数の板状の石材１０と、外壁面４に取り付けられてこれら複数の石材１０を支持する複数の支持部材２０と、外壁面４と石材１０との隙間を塞ぐ複数のカバー３０と、カバー３０を着脱可能に支持するカバー支持部材４０と、を備える。
【００１８】
石材１０は、上下に複数段積層されており、各段では、一対の石材１０が互いに背中合わせに並んで配置されている。
また、支持部材２０は、上下の石材１０同士の間に配置されている。
【００１９】
図２は、石材１０の斜視図である。
各石材１０の下端面には、２箇所にダボ穴１１が形成されている。また、各石材１０の上端面には、２箇所にダボ穴１２が形成されている。
【００２０】
以下、下から２番目の支持部材２０Ａについて説明するが、他の支持部材２０についても、同様の構造である。
この支持部材２０Ａの直下に位置する石材１０を、下側の石材１０Ａとし、この支持部材２０Ａの直上に位置する石材１０を、上側の石材１０Ｂとする。
【００２１】
図３は、支持部材２０Ａの斜視図である。
支持部材２０Ａは、外壁面４に沿って延びてこの外壁面４にボルト固定される板状の取付面部２１と、この取付面部２１から略水平に延びて一対の石材１０を支持する板状の支持面部２２と、取付面部２１および支持面部２２に一体に設けられて一対の石材１０同士の隙間に配置される板状の補強部２３と、を備える。
【００２２】
支持面部２２は、上下の石材１０Ａ、１０Ｂの間に配置されて、下側の石材１０Ａの位置を固定して石材１０Ａの開き止めを行うとともに、上側の石材１０Ｂを下から支持する。
【００２３】
具体的には、支持面部２２には、４箇所に長孔２４が形成されている。ダボピン１３を用意して、このダボピン１３を上から長孔２４に挿通して下側の石材１０Ａの上端面のダボ穴１２に差し込むことで、下側の石材１０Ａが支持面部２２に係止する。
【００２４】
また、支持面部２２の上面には、４つのダボピン２５が設けられている。ダボピン２５を上側の石材１０Ｂの下端面のダボ穴１１に差し込むことで、上側の石材１０Ｂが支持面部２２に係止する。
【００２５】
支持部材２０Ａの取付面部２１と方立３の外壁面４との間には、ライナープレート５０が介装されている。このライナープレート５０の厚みを調整することで、支持部材２０Ａの外壁面４からの突出寸法を調整できる。
【００２６】
図４は、支持部材２０Ａと方立３との接合部分の分解斜視図である。この図４では、理科の容易のため、ライナープレート５０の表示を省略している。
支持部材２０Ａの取付面部２１は、ボルト６０、押えプレート７０、ナット６１を用いて、方立３の外壁面４に固定される。
【００２７】
方立３の外壁面４には、ボルト６０を挿通するための円形の挿通孔５が形成されている。また、支持部材２０Ａの取付面部２１には、ボルト６０を挿通するための縦長の長孔２６が形成されている。
押えプレート７０は、矩形状であり、この押えプレート７０には、ボルト６０を挿通するための円形の挿通孔７１が形成されている。
【００２８】
支持部材２０Ａを外壁面４に取り付ける手順は、以下のようになる。
すなわち、支持部材２０Ａの取付面部２１と方立３の外壁面４との間にライナープレート５０を挟み込み、この状態で、外壁面４の挿通孔５、取付面部２１の長孔２６、および押えプレート７０の挿通孔７１に、ボルト６０を挿通する。その後、ボルト６０にナット６１を螺合して、ナット６１を所定のトルクで締め付ける。これにより、支持部材２０Ａが外壁面４に固定される。
【００２９】
ここで、取付面部２１には縦長の長孔２６が形成されているので、ナット６１を締め付ける前の状態では、取付面部２１は外壁面４に対して上下に相対移動可能である。したがって、支持部材２０Ａの高さ位置を調整できる。
【００３０】
以上の縦型ルーバー１の施工手順は、以下のようになる。
まず、ステップ１では、支持部材２０を方立３に取り付ける。具体的には、ライナープレート５０、ボルト６０、押えプレート７０、およびナット６１を用いて、支持部材２０の取付面部２１を方立３の外壁面４に固定する。
【００３１】
ステップ２では、この支持部材２０の上に一段目の石材１０を取り付ける。具体的には、支持部材２０の支持面部２２のダボピン２５を、石材１０の下端面のダボ穴１１に差し込む。
【００３２】
ステップ３では、この１段目の石材１０の上に、支持部材２０を取り付ける。具体的には、ライナープレート５０、ボルト６０、押えプレート７０、およびナット６１を用いて、支持部材２０の取付面部２１を方立３の外壁面４に固定する。
その後、ダボピン１３を支持部材２０の支持面部２２の長孔２４に挿通して、石材１０の上端面のダボ穴１２に差し込む。
【００３３】
ステップ４では、以上のステップ２、３を繰り返すことで、石材１０および支持部材２０を下から上に向かって取り付ける。
【００３４】
本実施形態によれば、以下のような効果がある。
（１）支持部材２０の取付面部２１を、ボルト６０で方立３の外壁面４に取り付ける。よって、このボルト６０の向きは石材１０の長さ方向に略平行となるので、石材１０同士の間隔を狭くしても、これら石材１０でボルト６０を長さ方向から挟み込むことはなく、並んで配置された一対の石材１０を極力狭い間隔で支持できる。したがって、縦型ルーバー１の幅寸法は、ｔ１よりも小さいｔ２となっている。
【００３５】
（２）方立３の外壁面４と石材１０との間の隙間に、カバー３０を着脱可能に取り付けたので、石材１０の取付けが完了した後であっても、カバー３０を取り外すだけで、支持部材２０と外壁面４との接合部分が露出するので、石材１０の取り付け位置を再調整できる。
【００３６】
なお、本発明は前記実施形態に限定されるものではなく、本発明の目的を達成できる範囲での変形、改良等は本発明に含まれるものである。
例えば、本実施形態では、支持部材２０Ａ取付面部２１を、方立３の外壁面４にボルト６０で固定したが、これに限らず、支持部材２０Ａ取付面部２１を、方立３の外壁面４に溶接で固定してもよい。
【符号の説明】
【００３７】
１…縦型ルーバー
３…方立（構造物）
４…外壁面
５…挿通孔
１０、１０Ａ、１０Ｂ…石材
１１、１２…ダボ穴
１３…ダボピン
２０、２０Ａ…支持部材
２１…取付面部
２２…支持面部
２３…補強部
２４…長孔
２５…ダボピン
２６…長孔
３０…カバー
４０…カバー支持部材
５０…ライナープレート
６０…ボルト
６１…ナット
７０…押えプレート
７１…挿通孔
【図１】
2015052256.tif 000003
【図２】
2015052256.tif 000004
【図３】
2015052256.tif 000005
【図４】
2015052256.tif 000006
【図５】
2015052256.tif 000007